(57)【要約】【課題】ディスプレイの支承装置における支承部材の改良構造を提供する。【解決手段】ディスプレイの支承装置における支承部材の改良構造であって、前記ディスプレイ１０のバックプレート台座１２に制限取付素材４０を設け、該制限取付素材４０の制限部４１に、ストッパー３０の停止部３４が係合するように相対配設したストッパー３０を設け、該ストッパー３０を支承部材２０の上部位置に配設して、前記制限取付素材４０、ストッパー３０及び支承部材２０を枢支素材５０により枢支し、前記支承部材２０が展開する時、前記制限部４１に係合するストッパー３０に確実に荷重を伝達できるようにした。【選択図】図１
0003107780.tif 000002
【実用新案登録請求の範囲】
【請求項１】
ディスプレイの支承装置の改良構造であって、
前記ディスプレイのバックプレート台座に制限取付素材を設け、該制限取付素材の制限部に、ストッパーの停止部が係合するように相対配設したストッパーを設け、該ストッパーを支承部材の上部位置に配設して、前記制限取付素材、ストッパー及び支承部材を枢支素材により枢支し、前記支承部材が展開する時、前記制限部に係合するストッパーに確実に荷重を伝達できるようにしたことを特徴とするディスプレイの支承装置。
【請求項２】
前記ストッパーは、前記支承部材と固定される固定部を備え、該固定部の上部には延長して形成された湾曲傾斜面を有する延伸部を有し、該延伸部の上端部には傾斜面より垂直に折曲形成した停止部を設けると共に、前記固定部両側には垂直に連接部が形成され、両連接部には左右方向に貫通する貫通孔が形成されていることを特徴とする請求項１に記載のディスプレイの支承装置。
【請求項３】
前記制限取付素材は、固定部と該固定部材の両端を下方に延伸して、両端対抗面にそれぞれ貫通孔を有する枢支部とを有し、前記固定部の両端の突設長さは、前記ストッパーの停止部の突出延伸長さとほぼ等しく、前記制限部と前記停止部は互いに係合できるようにしたことを特徴とする請求項１に記載のディスプレイの支承装置。
【請求項４】
ディスプレイのバックプレート台座に制限取付素材を設け、該制限取付素材の制限部に、ストッパーの停止部が係合するように相対配設したストッパーを設け、該ストッパーを支承部材の上部位置に配設して、前記制限取付素材、ストッパー及び支承部材を枢支素材により枢支してなるディスプレイの支承装置であって、前記制限取付素材には緩衝素材を配設してなり、該緩衝素材は、前記バックプレート台座に固定されると共に、位置限定部と位置決め部を有し、前記位置決め部は、形状が変化する前記位置限定部と連接し、前記位置限定部は、位置限定部と共に、前記ストッパーの停止部の底面と摺接し、前記制限取付素材の制限部と係合するようにしたことを特徴とするディスプレイの支承装置。  
【請求項５】
ディスプレイのバックプレート台座に制限取付素材を設け、該制限取付素材の制限部に、ストッパーの停止部が係合するように相対配設したストッパーを設け、該ストッパーを支承部材の上部位置に配設して、前記制限取付素材、ストッパー及び支承部材を枢支素材により枢支してなるディスプレイの支承装置であって、前記制限取付素材とバックプレート台座間には緩衝素材を係合する係合素材を固定してなり、前記緩衝素材は本体を有し、その一端には弾性体を有し、他端には前記ストッパーと摺接する固定部を設けたことを特徴とするディスプレイの支承装置。
【考案の詳細な説明】
【技術分野】
【０００１】
本考案は、ディスプレイの支承装置に関するものであって、特に、液晶フラットディスプレイのバックプレート台座に、制限取付素材を固定し、支承部材の上端部に固定されるストッパーと組み合わせて、ディスプレイを支承する目的を達成するディスプレイの支承装置に関するものである。
【背景技術】
【０００２】
従来のディスプレイの支承装置は、多くがパッド摩擦式の構造によってディスプレイの傾倒荷重の支承を行うようになっている。したがって、荷重支承力は低く、支承部材に自動位置決め効能など、その他の機能を付加させる場合には、弾性素材を使用して、支承部材をディスプレイのバックプレート台座から離間状態にしなければならず、その構造は非常に複雑である。  
【考案の開示】
【考案が解決しようとする課題】
【０００３】
解決しようとする課題は、液晶フラットパネルディスプレイの傾倒支承を安定させ、使用時には僅かな力の操作で姿勢制御を可能とし、且つ荷重圧力を確実に受承して、ディスプレイの寿命を延長し、使用における安全性を向上できるようなディスプレイの支承装置を提供することを目的とする。
【課題を解決するための手段】
【０００４】
本考案の請求項１に係るディスプレイの支承装置は、前記ディスプレイのバックプレート台座に制限取付素材を設け、該制限取付素材の制限部に、ストッパーの停止部が嵌合するように相対配設したストッパーを設け、該ストッパーを支承部材の上部位置に配設して、前記制限取付素材、ストッパー及び支承部材を枢支素材により枢支し、前記支承部材が展開する時、前記制限部に係合するストッパーに確実に荷重を伝達できるようにしたことを特徴とする。
【０００５】
請求項２の考案は、請求項１に記載のディスプレイの支承装置において、前記ストッパーは、前記支承部材と固定される固定部を備え、該固定部の上部には延長して形成された湾曲傾斜面を有する延伸部を有し、該延伸部の上端部には傾斜面より垂直に折曲形成した停止部を設けると共に、前記固定部両側には垂直に連接部が形成され、両連接部には左右方向に貫通する貫通孔が形成されていることを特徴とする。
【０００６】
請求項３の考案は、請求項１に記載のディスプレイの支承装置において、前記制限取付素材は、固定部と該固定部材の両端を下方に延伸して、両端対抗面にそれぞれ貫通孔を有する枢支部とを有し、前記固定部の両端の突設長さは、前記ストッパーの停止部の突出延伸長さとほぼ等しく、前記制限部と前記停止部は互いに係合できるようにしたことを特徴とする。
【０００７】
請求項４の考案は、ディスプレイのバックプレート台座に制限取付素材を設け、該制限取付素材の制限部に、ストッパーの停止部が係合するように相対配設したストッパーを設け、該ストッパーを支承部材の上部位置に配設して、前記制限取付素材、ストッパー及び支承部材を枢支素材により枢支してなるディスプレイの支承装置であって、前記制限取付素材には緩衝素材を配設してなり、該緩衝素材は、前記バックプレート台座に固定されると共に、位置限定部と位置決め部を有し、前記位置決め部は、形状が変化する前記位置限定部と連接し、前記位置限定部は位置限定部と共に、前記ストッパーの停止部の底面と摺接し、前記制限取付素材の制限部と係合するようにしたことを特徴とする。
【０００８】
請求項５の考案は、ディスプレイのバックプレート台座に制限取付素材を設け、該制限取付素材の制限部に、ストッパーの停止部が係合するように相対配設したストッパーを設け、該ストッパーを支承部材の上部位置に配設して、前記制限取付素材、ストッパー及び支承部材を枢支素材により枢支してなるディスプレイの支承装置であって、前記制限取付素材とバックプレート台座間には緩衝素材を嵌合する係合素材を固定してなり、前記緩衝素材は本体を有し、その一端には弾性体を有し、他端には前記ストッパーと摺接する固定部を設けたことを特徴とする。
【考案の効果】
【０００９】
本考案は、ディスプレイの支承装置において、簡潔な構造で、荷重圧力に対する耐久性を大幅に向上し、破損しにくく、且つ、メンテナンスが容易であるという目的を達成し、ディスプレイ１０のフレーム１１上に、荷重圧力がかかっても対応でき、ディスプレイ１０の使用寿命と使用者の安全性を向上させる。
また、弾性位置決めの効果が好ましく、支承部材２０の自動位置決め効果を達成し、使用者は僅かな力で操作でき、且つ、ディスプレイ１０が更に安定して支承され、使用寿命と使用安全性が向上する。
【考案を実施するための最良の形態】
【００１０】
以下、添付図面を参照して本考案の好適な実施の形態を詳細に説明する。
【実施例１】
【００１１】
図１〜図５は本考案のディスプレイの支承装置における第１実施例を示すもので、図１は本考案のディスプレイ支承装置の使用状態を側面より見た全体斜視図で、図２は本考案のディスプレイ支承装置の分解斜視図、図３は本考案のディスプレイ支承装置を組み立てた状態の斜視図、図４は図３の背面図、図５は本考案のディスプレイ支承装置をフラット型ディスプレイに装着した状態の側面図である。
【００１２】
図１に示すように、本考案のディスプレイの支承装置におけるフラット型ディスプレイ構造は、公知のものとほぼ同様で、フラットディスプレイ１０（以下、ディスプレイという）背面側のフレーム１１のほぼ中央に形成したバックプレート台座１２上に、前記ディスプレイ１０の傾倒を保持する支承部材２０の上部先端を枢設してある。
【００１３】
この支承部材２０の下端部にはディスプレイの設置面と当接する扇形状の支承部２１を有し、上端部にはディスプレイ１０のバックプレート台座１２に枢支されるコ字状に形成された旋動部２２が設けられている。該旋動部２２の裏面凹陥部には複数の固定孔２２１を設け、該固定孔２２１を用いて前記ストッパー３０の固定部３１を固定するようにしている。また、前記固定孔２２１に対応する垂直な左右側壁である連接面の対応位置には、それぞれ枢支孔２２２が設けられており、この枢支孔２２２と前記ストッパー３０の左右方向に貫通形成された貫通孔３２１には、後述の枢支素材となる枢支軸５０が挿入され、前記バックプレート台座１２上で制限取付素材４０と連結するようになっている。
【００１４】
本考案の特徴とするところは、前記支承部材２０の上端部にストッパー３０を固定し、ディスプレイ１０に固定されたバックプレート台座１２の中央開放領域に、制限取付素材４０を固定し、ストッパー３０と制限取付素材４０の夫々対応する側壁に、夫々貫通孔３２１，４３１を設けて、枢支素材である枢支軸５０を貫通配設して、前記支承部材２０とディスプレイ１０間が、ストッパー３０と制限取付素材４０により、高い強度の支承を達成するようにしている。
【００１５】
前記ストッパー３０は、フラット状の固定部３１を有し、該固定部３１には複数個の貫通孔３１ａを設けてあり、前記支承部材２０の旋動部２２の固定孔２２１にネジ等により固定される。また、前記固定部３１の両側面は、垂直に連接部３２が設けられ、上方部には左右方向に貫通する貫通孔３２１が形成されている。そして、前記貫通孔３２１および前記支承部材２０の旋動部２２の枢支孔２２２とに一致させて、枢支軸５０が配設され前記制限取付素材４０と連結され、前記枢支軸５０に対して前記支承部材２０及びストッパー３０が旋動可能に枢支されるようになっている。
【００１６】
前記固定部３１は、両貫通孔３２１の円周に沿って延伸された、傾斜を有する延伸部３３を備え、延伸部３３の上端は、制限取付素材４０方向に、階段状に垂直に折曲された停止部３４を備え、制限取付素材４０の制限部４１と係合されて、支承部材２０の傾倒角度を制御して前記ディスプレイ１０を支承し、荷重を分散する目的を達成する。
【００１７】
前記制限取付素材４０は、門型形状の固定部材４２からなり、固定部材４２には、複数の貫通孔４０ａを設け、前記ディスプレイ１０背面に固定したバックプレート台座１２の中央開放領域に固定される。
【００１８】
前記制限取付素材４０の下方に伸びる二つの延伸片の相対する内側面には、枢支部４３が形成されており、ストッパー３０の連接部３２の貫通孔３２１と対応する左右位置に、それぞれ枢支孔４３１を設けて、枢支素材である枢支軸５０を、貫通孔３２１及び枢支孔４３１、２２２に貫通させて、支承部材２０上のストッパー３０と、ディスプレイ１０上の制限取付素材４０とを連結する。
【００１９】
前記固定部材４２の下端部には制限部４１を設け、該制限部４１の突出長さは、ストッパー３０の停止部３４の突出延伸長さとほぼ等しく、枢支後のストッパー３０の停止部３４辺縁は、ちょうど、制限取付素材４０の制限部４１と固定部材４２が相接するところで係合し、制限部４１の傾斜角度は、停止部３４に適合し、支承力を強化するようになっている。
なお、符号２１ａはすべり止め部材で、前記支承部材２０の扇形状の支承部２１の下端面に装着して設置面と当接する部分の滑りとめを行うようになっている。
【００２０】
ディスプレイ１０を、図１に示すように机などの天板平面Ａに立てる場合、ストッパー３０の停止部３４と制限取付素材４０の制限部４１が係合するまで、前記支承部材２０の下部をフラットディスプレイ１０の背面部より離間させる方向に引き出して設置する。
【００２１】
前記ディスプレイ１０のフレーム１１が上部より外力衝撃を受けた時に、その衝撃力がフレーム１１に沿ってバックプレート台座１２と固定される制限取付素材４０に伝達されて、前記制限取付素材４０の制限部４１と係合するストッパー３０の停止部３４平面と枢支軸５０の軸心線が一直線状をなす。
そして、前記バックプレート台座１２に荷重が掛かると、制限部４１を経て停止部３４に伝達される。制限部４１は、直接、傾斜を有する延伸部３３より延長形成された停止部３４の端縁を押圧するが、前記延伸部３３の湾曲面構成による弾性によりその押圧力を一部吸収しながら枢支軸５０上に押圧力を加える。荷重が加えられた枢支軸５０は、その荷重を直接ストッパー３０から支承部材２０に伝達する。
【００２２】
ストッパー３０の両端部に支持される前記枢支軸５０は、前記荷重を、ストッパー３０を介して支承部材２０に伝達するようになっているため、荷重が分散された状態で前記支承部材２０に伝達されると共に、支承部材２０の底部に至ってすべて吸収される。
故に、前記支承部材２０は、荷重圧力の外力を完全に分担することができるため、前記枢支軸５０に対し外部衝撃により５０Ｋｇもの荷重圧力を受けても損壊することがなく、簡単な構造でディスプレイの支承部材２０を強化する目的を達成することができる。
【実施例２】
【００２３】
図６は、本考案のディスプレイの支承装置における第２実施例を示すもので、上述の第１実施例と異なるところは、使用者が僅かな力で操作できるように、また、ディスプレイ１０の設置状態を安定させるために、ディスプレイ１０のバックプレート台座１２に固定された制限取付素材４０上に、一部に湾曲した位置限定部６２を有する板状バネなどの緩衝素材６０を設けた点にある。
【００２４】
前記緩衝素材６０は、固定部材６１上に設けた貫通孔を介して前記制限取付素材４０を固定している。前記固定部材６１の一端には湾曲部を有し、且つ、弾性を有する位置限定部６２を延伸形成して、ストッパー３０の停止部３４を抑制して、支承部材２０を位置決めする。
【００２５】
更に、位置限定部６２から、バックプレート台座１２に圧設する位置決め部６３を延伸形成して、位置限定部６２の位置を保持する。ストッパー３０を支承部材２０の旋動部２２に固定した後、前記ストッパー３０の停止部３４は制限取付素材４０及び緩衝素材６０の位置限定部６２間に係合されたままになる。その後、使用者が支承部材２０を展開移動する場合、僅かな力を加えるだけで前記支承部材２０の停止部３４は、位置限定部６２の円弧頂端に達し、位置決め部６３の弾性で押圧されて位置決めできるようになる。
【００２６】
前記支承部材２０をフレーム１１側に折りたたむ時には、ストッパー３０の停止部３４の先端部が、前記位置限定部６２の円弧頂端を乗り越える状態の僅かな押圧力を加えるだけで、前記位置限定部６２が弾力を提供して、停止部３４と固定された支承部材２０を位置決めさせる。このようにして、支承部材２０は、確実に、展開と折畳み状態保持の目的を達成する。
その他の構成は上述の第１実施例と同様なので、同一部分には同一符号を付してその説明を省略する。
【実施例３】
【００２７】
図７は、本考案のディスプレイの支承装置における第３実施例を示すもので、上述の第２実施例の変形例を示すもので、第２実施例と異なるところは、ディスプレイ１０のバックプレート台座１２の緩衝素材６０を、コイルスプリングなどの弾性体７２を有する弾性素材７０に変更し、ディスプレイ１０のバックプレート台座１２中央開放領域に、ドア枠様式で、弾性素材７０を嵌入する係合素材１３を固定したものである。前記弾性素材７０は、長方形状の本体７１を有し、本体７１の一端には弾性体７２を設け、他端には、制限取付素材４０の制限部４１に相対する側に、固定部７３を設けたものである。前記固定部７３は、長方形状で且つ制限取付素材４０の制限部４１側面に近接する側面は平面で、もう一側面は、円弧面をなしている。この円弧面は、支承部材２０の展開角度を決定し、ストッパー３０の停止部３４を制限取付素材４０の制限部４１に固定した後に、前記係合素材１３に固定された弾性素材７０の固定部７３と結合し、更に、支承部材２０と固定する制限取付素材４０とディスプレイ１０のバックプレート台座１２を固定し、ディスプレイ１０と支承部材２０の組み付けを完成する。
【００２８】
使用者が支承部材２０を展開する場合にほんの僅かな力を加えるだけで、支承部材２０端の停止部３４は、固定部７３の平面と円弧面との隣接頂端に達し、弾性素材７０の弾性体７２の弾性によって、本体７１を介して押圧されて位置決めできるようになる。したがって、支承部材２０を収束（折り畳む）する時には、停止部３４が固定部７３の平面と円弧面との隣接頂端を乗り越えるように操作力を加えるだけで、弾性素材７０が弾力を提供して、停止部３４と固定された支承部材２０を位置決めさせることができる。こうして、支承部材２０は、確実に、展開と折畳状態保持の目的を達成する。
【００２９】
以上のように構成された本考案は、以下のような改良目的を達成できる。
１）簡潔な構造で、荷重圧力に対する耐久性を大幅に向上し、破損しにくく、且つ、メンテナンスが容易であるという目的を達成することができるので、ディスプレイ１０のフレーム１１上に荷重圧力がかかっても対応でき、ディスプレイ１０の使用寿命と使用者の安全性を向上させる。
２）弾性位置決めの効果が好ましく、支承部材２０の自動位置決め効果を達成し、使用者は僅かな力で操作でき、且つ、ディスプレイ１０が更に安定して支承され、使用寿命と使用安全性が向上する。
【００３０】
本考案では好ましい実施例を前述の通り開示したが、これらは決して本考案の特徴を限定するものではなく、当該技術を熟知する者なら誰でも、本考案の精神と領域を脱しない範囲内で各種の変更や改良を加えることができ、従って、本考案の保護範囲は、実用新案登録請求の範囲を基準とする。
【図面の簡単な説明】
【００３１】
【図１】本考案のディスプレイの支承装置の第１実施例における使用状態を側面より見た全体斜視図、
【図２】図１に示す、本考案のディスプレイの支承装置の分解斜視図、
【図３】図１に示す、本考案のディスプレイの支承装置を組み立てた状態の斜視図、
【図４】図３の背面図、
【図５】本考案のディスプレイの支承装置をフラット型ディスプレイに装着した状態の側面図、
【図６】本考案のディスプレイの支承装置の第２実施例を示す要部拡大側面図、
【図７】本考案のディスプレイの支承装置の第３実施例を示す要部拡大側面図である。
【符号の説明】
【００３２】
１０…ディスプレイ
１１…フレーム
１２…バックプレート台座    
１３…係合素材
２０…支承部材
２１…支承部
２２…旋動部
２２１…固定孔
２２２…枢支孔
３０…ストッパー
３１…フラット状固定部
３２…連接部
３２１…貫通孔
３３…延伸部
３４…停止部
４０…制限取付素材
４１…制限部
４２…固定部材
４３…枢支部
４３１…貫通孔
５０…枢支軸（枢支素材）
６０…緩衝素材
６１…固定部材
６２…位置限定部
６３…位置決め部
７０…弾性素材
７１…長方形状の本体
７２…弾性体
７３…固定部材
【図１】
0003107780.tif 000003
【図２】
0003107780.tif 000004
【図３】
0003107780.tif 000005
【図４】
0003107780.tif 000006
【図５】
0003107780.tif 000007
【図６】
0003107780.tif 000008
【図７】
0003107780.tif 000009